【手続補正書】
【提出日】令和2年12月3日(2020.12.3)
【手続補正１】
【補正対象書類名】特許請求の範囲
【補正対象項目名】全文
【補正方法】変更
【補正の内容】
【特許請求の範囲】
【請求項１】
遊技を実行可能であり、遊技者にとって有利な有利状態に制御可能な遊技機であって、
最初の段階から特定段階までの複数の段階にわたって表示態様を変化可能な所定表示を行う所定表示手段と、
前記所定表示の表示態様を或る段階から他の段階に変化させる変化契機において変化演出を実行可能であり、前記所定表示の表示態様を最初の段階から特定段階まで変化させる所定期間において、前記変化演出を複数回実行可能な変化演出実行手段と、
複数回実行され得る前記変化演出の各々について、該変化演出が実行される前に特定演出を実行可能な特定演出実行手段と、
前記変化演出が実行されたことを報知する報知演出を実行可能な報知演出実行手段と、
前記有利状態に制御されることを示唆する特別演出を実行可能な特別演出実行手段と、
遊技に用いた遊技媒体を検出可能な検出手段と、
前記検出手段からの検出信号が送信される信号線と、
前記検出信号を受信する受信手段と、
前記検出信号の受信状態の異常を検知可能な異常検知手段と、
所定条件が成立することに基づいて遊技媒体を払い出す払出手段と、
前記有利状態とは異なる所定状態において前記検出手段によって検出された遊技媒体数と、前記所定状態において前記払出手段によって払い出された遊技媒体数とに基づいて算出される所定情報を表示可能な情報表示手段と、
を備え、
前記異常検知手段によって受信状態の異常が検知された場合に、前記情報表示手段による表示を制限し、
前記変化演出実行手段は、前記変化演出を実行したときに、前記所定表示の表示態様を現在の段階から第１数の段階変化させる第１制御と、前記所定表示の表示態様を現在の段階から前記第１数よりも大きい第２数の段階変化させる第２制御と、を実行可能であり、
前記特定演出の演出時間が第１期間であるときと該第１期間と異なる第２期間であるときとで、前記第１制御と前記第２制御とのいずれが実行されるかの割合が異なり、
前記報知演出実行手段は、前記第１制御に対応する第１態様の報知演出と、前記第２制御に対応する第２態様の報知演出と、を実行可能であり、
前記特別演出実行手段は、
第１特別演出と、該第１特別演出よりも前記有利状態に制御される期待度が高い第２特別演出と、を実行可能であり、
前記所定表示の表示態様が前記特定段階まで変化しなかったときに前記第１特別演出を実行し、前記所定表示の表示態様が前記特定段階まで変化したときに前記第２特別演出を実行する、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本願発明に係る遊技機は、遊技を実行可能であり、遊技者にとって有利な有利状態（例えば、大当り遊技状態、確変状態、時短状態等）に制御可能な遊技機（例えば、パチンコ遊技機、スロットマシン等）であって、最初の段階から特定段階までの複数の段階にわたって表示態様を変化可能な所定表示を行う所定表示手段と、前記所定表示の表示態様を或る段階から他の段階に変化させる変化契機において変化演出を実行可能であり、前記所定表示の表示態様を最初の段階から特定段階まで変化させる所定期間において、前記変化演出を複数回実行可能な変化演出実行手段と、複数回実行され得る前記変化演出の各々について、該変化演出が実行される前に特定演出を実行可能な特定演出実行手段（例えば、メーター変化報知態様での予告演出を実行可能な演出制御用ＣＰＵ１２０等）と、前記変化演出が実行されたことを報知する報知演出を実行可能な報知演出実行手段と、前記有利状態に制御されることを示唆する特別演出を実行可能な特別演出実行手段と、遊技に用いた遊技媒体（例えば、遊技領域９０１０等）を検出可能な検出手段（例えば、図１３２、図１３６等に示したアウト球検出器９０７１０等）と、前記検出手段からの検出信号が送信される信号線（例えば、図１３２に示した信号線９０７３４等）と、前記検出信号を受信する受信手段（例えば、主基板９０１１、主基板９０１１側に設けられた所定の接続部等）と、前記検出信号の受信状態の異常を検知可能な異常検知手段（例えば、図１３３のエラー報知処理を実行するＣＰＵ９０１０３等）と、所定条件が成立（例えば、第１始動入賞口となる普通入賞球装置９０６Ａ、第２始動入賞口となる普通可変入賞球装置９０６Ｂ、一般入賞領域となる一般入賞口９０５０Ａ〜９０５０Ｄ、大入賞口となる特別可変入賞球装置９０７への入賞等）することに基づいて遊技媒体を払い出す払出手段（例えば、球払出装置，払出機構等）と、前記有利状態とは異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）とに基づいて算出される所定情報（例えば、図１１２の性能情報等）を表示可能（例えば、性能表示を可能等）な情報表示手段（例えば、図１３６の表示モニタ９０１１３０等）とを備え、前記異常検知手段によって受信状態の異常が検知された場合に、前記情報表示手段による表示を制限し（例えば、図１３４や図１３５に示すようにエラーを報知し、性能表示を制限する等）、前記変化演出実行手段は、前記変化演出を実行したときに、前記所定表示の表示態様を現在の段階から第１数の段階変化させる第１制御と、前記所定表示の表示態様を現在の段階から前記第１数よりも大きい第２数の段階変化させる第２制御と、を実行可能であり（例えば、スーパーリーチ演出中のメーター演出を実行するよりも前にメーター変化報知態様での予告演出が実行された場合と実行されなかった場合とで、スーパーリーチ演出中のメーター演出においてメーターＭＴの表示態様を変化させるときのメーターの変化量や、所定のエフェクトとして表示される小判の量を異ならせること等）、前記特定演出の演出時間が第１期間であるときと該第１期間と異なる第２期間であるときとで、前記第１制御と前記第２制御とのいずれが実行されるかの割合が異なり、前記報知演出実行手段は、前記第１制御に対応する第１態様の報知演出と、前記第２制御に対応する第２態様の報知演出と、を実行可能であり、前記特別演出実行手段は、第１特別演出と、該第１特別演出よりも前記有利状態に制御される期待度が高い第２特別演出と、を実行可能であり、前記所定表示の表示態様が前記特定段階まで変化しなかったときに前記第１特別演出を実行し、前記所定表示の表示態様が前記特定段階まで変化したときに前記第２特別演出を実行する、ことを特徴とする。
このような構成によれば、所定表示の表示態様を変化させる変化演出の興趣を向上させることができるとともに、情報表示手段が、正確ではない表示を行うことを防止することができる。
（１）上記目的を達成するため、他の遊技機は、遊技を実行可能であり、遊技者にとって有利な有利状態（例えば、大当り遊技状態、確変状態、時短状態等）に制御可能な遊技機（例えば、パチンコ遊技機、スロットマシン等）であって、特定演出を実行可能な特定演出実行手段（例えば、メーター変化報知態様での予告演出を実行可能な演出制御用ＣＰＵ１２０等）と、所定表示の表示態様を特定の段階まで変化させ得る変化演出を実行可能な変化演出実行手段（例えば、メーターＭＴの表示態様をメーターの上限値（レベル４（ＭＡＸ））へ向かって変化させる演出や、メーターの表示態様をメーターの下限値（レベル０）へ向かって変化させる演出や、アイテムの種類や数を変化させる演出や、キャラクタの大きさや色、人数等を変化させる演出や、数字が増えていったり減っていったりする演出等を実行可能な演出制御用ＣＰＵ１２０等）と、遊技に用いた遊技媒体（例えば、遊技領域９０１０等）を検出可能な検出手段（例えば、図１３２、図１３６等に示したアウト球検出器９０７１０等）と、前記検出手段からの検出信号が送信される信号線（例えば、図１３２に示した信号線９０７３４等）と、前記検出信号を受信する受信手段（例えば、主基板９０１１、主基板９０１１側に設けられた所定の接続部等）と、前記検出信号の受信状態の異常を検知可能な異常検知手段（例えば、図１３３のエラー報知処理を実行するＣＰＵ９０１０３等）と、所定条件が成立（例えば、第１始動入賞口となる普通入賞球装置９０６Ａ、第２始動入賞口となる普通可変入賞球装置９０６Ｂ、一般入賞領域となる一般入賞口９０５０Ａ〜９０５０Ｄ、大入賞口となる特別可変入賞球装置９０７への入賞等）することに基づいて遊技媒体を払い出す払出手段（例えば、球払出装置，払出機構等）と、前記有利状態とは異なる所定状態（例えば、通常状態等。具体的には、確変フラグ、時短フラグ、ラウンド遊技中フラグの何れもオフの状態等）において前記検出手段によって検出された遊技媒体数（例えば、打込玉数等）と、前記所定状態において前記払出手段によって払い出された遊技媒体数（例えば、各入賞口への入賞による賞球数等）とに基づいて算出される所定情報（例えば、図１１２の性能情報等）を表示可能（例えば、性能表示を可能等）な情報表示手段（例えば、図１３６の表示モニタ９０１１３０等）とを備え、前記異常検知手段によって受信状態の異常が検知された場合に、前記情報表示手段による表示を制限し（例えば、図１３４や図１３５に示すようにエラーを報知し、性能表示を制限する等）、前記変化演出実行手段は、前記変化演出を実行するよりも前に前記特定演出が実行された場合と実行されなかった場合とで、前記変化演出において所定表示の表示態様を変化させるときの態様を異ならせる（例えば、スーパーリーチ演出中のメーター演出を実行するよりも前にメーター変化報知態様での予告演出が実行された場合と実行されなかった場合とで、スーパーリーチ演出中のメーター演出においてメーターＭＴの表示態様を変化させるときのメーターの変化量や、所定のエフェクトとして表示される小判の量を異ならせること等）ことを特徴とする。